(57)【特許請求の範囲】
【請求項１】
対物レンズと、この対物レンズを可動状態に支持する弾性部材と、前記対物レンズに磁気駆動力を与える補正駆動手段と、が搭載された金属製の支持体と、前記支持体を支持して記録媒体の記録面に沿って移動する支持ベースとを有する光ピックアップ装置において、
前記支持ベース上で前記支持体がねじで支持されており、
前記支持ベースには、前記支持体と前記支持ベースとの間の隙間内に通じる接着剤充填用の穴と、この穴を囲む複数の紫外線照射用の穴とが形成されており、
前記支持体と前記支持ベースとの隙間内に、前記接着剤充填用の穴から充填されて、前記接着剤充填用の穴と前記紫外線照射用の穴の双方から照射された紫外線によって硬化させられた紫外線硬化型の接着剤層が設けられていることを特徴とする光ピックアップ装置。
【請求項２】
前記支持体の前記補正駆動手段が設けられている部分と、前記支持ベースとの間の隙間内に、前記接着剤層が設けられている請求項１記載の光ピックアップ装置。
【請求項３】
前記対物レンズを含む可動部の重心が、前記対物レンズの光軸上に位置していない請求項２記載の光ピックアップ装置。
【請求項４】
前記支持ベース上で前記支持体の姿勢を調整するための前記支持体の調整可動支点が、前記支持体の底部以外の部分に位置し、前記接着剤層が、前記支持体の底部と前記支持ベースとの隙間内に設けられている請求項１ないし３のいずれかに記載の光ピックアップ装置。
【請求項５】
対物レンズと、この対物レンズを可動状態に支持する弾性部材と、前記対物レンズに磁気駆動力を与える補正駆動手段と、が搭載された金属製の支持体と、前記支持体を支持して記録媒体の記録面に沿って移動する支持ベースとを有する光ピックアップ装置の製造方法において、
前記支持ベースには、前記支持体と前記支持ベースとの間の隙間内に通じる接着剤充填用の穴と、この穴を囲む複数の紫外線照射用の穴とが形成されており、
前記支持ベース上で前記支持体をねじで支持する工程と、
前記接着剤充填用の穴から、前記支持体と前記支持ベースとの隙間内に、紫外線硬化型の接着剤を充填する工程と、
前記接着剤充填用の穴と前記紫外線照射用の穴の双方から紫外線を照射して前記接着剤を硬化させる工程と、が設けられていることを特徴とする光ピックアップ装置の製造方法。
【請求項６】
前記接着剤充填用の穴と前記紫外線照射用の穴の双方から照射した紫外線を、前記金属製の支持体で乱反射させて、前記接着剤を硬化させる請求項５記載の光ピックアップ装置の製造方法。
【請求項７】
前記支持体の前記補正駆動手段が設けられている部分と、前記支持ベースとの間の隙間内に、前記接着剤を充填する請求項５または６記載の光ピックアップ装置の製造方法。
【発明の詳細な説明】
【０００１】
【発明の属する技術分野】
本発明は、ＣＤ装置、ＤＶＤ装置、ＭＤ装置などに用いられる薄型の光ピックアップ装置に係り、特に対物レンズを搭載した支持体とこれを支持する支持ベースとを確実に固定できるようにした光ピックアップ装置およびその製造方法に関する。
【０００２】
【従来の技術】
図４は従来の光ピックアップ装置を示す斜視図である。
【０００３】
この光ピックアップは、支持体４０と支持ベース５０とを有している。支持体４０は金属板から成り、その周縁部に垂直上方へ折り曲げられた側片４２ａ，４２ｂ，４２ｃが形成されている。前記支持体４０には対物レンズ４４が保持されたレンズホルダ４５が設けられ、このレンズホルダ４５は支持体４０に固定されたヘッドベース４６に４本のワイヤ４７を介して可動自在に支持されている。
【０００４】
支持体４０にはヨーク４３が一体に折り曲げ形成され、このヨーク４３にマグネット４８が固定されている。また前記レンズホルダ４５にトラッキングコイル及びフォーカシングコイルとからなるムービングコイル４９が固定されている。前記ムービングコイル４９が、前記マグネット４８に対向して補正駆動手段６０が形成されている。
【０００５】
前記支持ベース５０は、合成樹脂で射出成型されたケース５１を有し、ケース５１には前記支持体４０が収納される凹部５２が形成されている。支持体４０は、前記ケース５１内で、ねじなどで固定され、且つ前記ねじにより対物レンズ４４の光軸の位置調整が可能とされている。
【０００６】
前記トラッキングコイルに与えられる補正電流により、レンズホルダ４５がトラッキング方向（水平方向）へ微駆動され、前記フォーカシングコイルに与えられる補正電流により、レンズホルダ４５がフォーカシング方向（上下方向）へ微駆動される。
【０００７】
【発明が解決しようとする課題】
しかしながら、この種の光ピックアップ装置では、前記補正駆動手段６０で発揮されるトラッキングおよびフォーカシング方向への補正駆動力の反作用力が、マグネット４８およびヨーク４３を経て支持体４０に伝達され、さらにこの振動がワイヤ４７からレンズホルダ４５に伝達され、不要振動の伝達経路のループが形成され、前記不要振動が増幅するという問題がある。
【０００８】
ここで、図４に示す光ピックアップ装置は、対物レンズ４４がレンズホルダ４５の端部に位置しており、レンズホルダ４５の重心と対物レンズ４４の光軸とが離れている。そのため、前記不要振動がレンズホルダ４５に与えられると、レンズホルダ４５に発生する不要振動により、対物レンズ４４が光軸の倒れ方向であるピッチング方向や前記光軸回りの回転動作であるヨーイング動作を発生し、その結果、本来のトラッキング補正やフォーカシング補正の制御が不能になるなどの問題を生じやすい。
【０００９】
その対策として、支持体４０の前記側片４２ａ，４２ｂ，４２ｃと、ケース５１の側板５２ａ，５２ｂ，５２ｃとの間に接着剤を充填し、接着剤により支持体４０を拘束して前記不要振動を抑制することが考えられる。
【００１０】
しかし、支持体４０の前記側片４２ａ，４２ｂ，４２ｃを接着剤で拘束しても、この拘束箇所と振動発生源であるヨーク４３とが離れているため、接着剤による振動抑制効果を十分に発揮させることができない。
【００１１】
また支持体４０の前記側片４２ａ，４２ｂ，４２ｃと、ケース５１の側板５２ａ，５２ｂ，５２ｃとの間に接着剤を充填した場合に、接着剤にＵＶなどの硬化光を効果的に与えることが難しく、接着剤を速やかに硬化させることが難しい。よって、硬化前の接着剤が支持体４０上の光学部品に付着しやすいという欠点もある。
【００１２】
本発明は、上記課題を解決するものであり、接着剤による不要な振動の抑制効果を高くした光ピックアップ装置を提供することを目的とする。
【００１３】
また本発明は、接着剤を速やかに硬化させることができる光ピックアップ装置の製造方法を提供することを目的としている。
【００１６】
【課題を解決するための手段】
本発明は、対物レンズと、この対物レンズを可動状態に支持する弾性部材と、前記対物レンズに磁気駆動力を与える補正駆動手段と、が搭載された金属製の支持体と、前記支持体を支持して記録媒体の記録面に沿って移動する支持ベースとを有する光ピックアップ装置において、
前記支持ベース上で前記支持体がねじで支持されており、
前記支持ベースには、前記支持体と前記支持ベースとの間の隙間内に通じる接着剤充填用の穴と、この穴を囲む複数の紫外線照射用の穴とが形成されており、
前記支持体と前記支持ベースとの隙間内に、前記接着剤充填用の穴から充填されて、前記接着剤充填用の穴と前記紫外線照射用の穴の双方から照射された紫外線によって硬化させられた紫外線硬化型の接着剤層が設けられていることを特徴とするものである。
【００１７】
また、本発明は、対物レンズと、この対物レンズを可動状態に支持する弾性部材と、前記対物レンズに磁気駆動力を与える補正駆動手段と、が搭載された金属製の支持体と、前記支持体を支持して記録媒体の記録面に沿って移動する支持ベースとを有する光ピックアップ装置の製造方法において、
前記支持ベースには、前記支持体と前記支持ベースとの間の隙間内に通じる接着剤充填用の穴と、この穴を囲む複数の紫外線照射用の穴とが形成されており、
前記支持ベース上で前記支持体をねじで支持する工程と、
前記接着剤充填用の穴から、前記支持体と前記支持ベースとの隙間内に、紫外線硬化型の接着剤を充填する工程と、
前記接着剤充填用の穴と前記紫外線照射用の穴の双方から紫外線を照射して前記接着剤を硬化させる工程と、が設けられていることを特徴とするものである。
【００１９】
本発明では、支持体と支持ベースとの間に供給された接着剤に、複数の穴からＵＶなどの硬化光が与えられ、この光が乱反射して接着剤に与えられるため、接着剤が速やかに硬化できるようになる。
【００２０】
本発明は、前記支持体の前記補正駆動手段が設けられている部分と、前記支持ベースとの間の隙間内に、前記接着剤層が設けられていることが好ましい。補正駆動手段が設けられている箇所で、支持体と支持ベースとの間に接着剤層が設けられていると、接着剤層により補正駆動手段の箇所で支持体を拘束でき、補正駆動手段の反作用により支持体に与えられる不要振動を効果的に抑制できる。
【００２１】
また、本発明は、前記対物レンズを含む可動部の重心が、前記対物レンズの光軸上に位置していないものにおいて有効であり、支持体を確実に拘束できることで、対物レンズの光軸のピッチングやヨーイング方向の振動の抑制効果を高めることができる。
【００２２】
さらに、前記支持ベース上で前記支持体の姿勢を調整するための前記支持体の調整可動支点が、前記支持体の底部以外の部分に位置し、前記接着剤層が、前記支持体の底部と前記支持ベースとの間に設けられているものとして構成できる。
【００２３】
【発明の実施の形態】
図１は本発明の光ピックアップ装置の一例を示す分解斜視図、図２は組立て後の断面図、図３は裏面図である。
【００２４】
本発明の光ピックアップ装置１は、支持体１０と支持ベース２０とを有している。支持体１０は金属板から形成され、その側部に垂直上方へ折り曲げられた側片１１ａ，１１ｂ，１１ｃ，１１ｄ，１１ｅが形成されている。前記側片１１ａの先端には水平方向へ折り曲げられた取付片１１ｆが形成されている。また側片１１ｄ，１１ｅの先端には、水平に折り曲げられた取付片１１ｇ，１１ｈが形成されている。
【００２５】
支持体１０の中央には一体に折り曲げ形成されたヨーク１２，１２が互いに対面して形成されている。このヨーク１２，１２の内側にマグネット１３，１３が保持されている。
【００２６】
支持体１０には合成樹脂製のヘッドベース１５が固定されている。前記ヘッドベース１５に支持された４本の金属ワイヤ（ワイヤサスペンション）１４により、合成樹脂製のレンズホルダ１６が可動状態に支持されている。前記レンズホルダ１６に対物レンズ１７が保持されている。このレンズホルダ１６では、その端部に前記対物レンズ１７が保持されており、可動部となるレンズホルダ１６の重心と対物レンズ１７の光軸とが一致しない構造である。
【００２７】
レンズホルダ１６のほぼ中央部分に、フォーカシングコイル１８とトラッキングコイル１９とからなるムービングコイルが設けられている。このフォーカシングコイル１８とトラッキングコイル１９とが前記マグネット１３，１３の間に位置し、ムービングコイル方式の補正駆動手段が形成されている。
【００２８】
前記フォーカシングコイル１８に与えられる補正電流により、レンズホルダ１６がフォーカシング方向（Ｚ方向）へ微駆動され、前記トラッキングコイル１９に与えられる補正電流により、レンズホルダ１６がトラッキング方向（Ｘ１−Ｘ２方向）へ微駆動される。
【００２９】
前記支持ベース２０は、合成樹脂で射出成型されたものであり、底板２１と、側板２２ａ，２２ｂ，２２ｃ，２２ｄを有する上部が開口する箱型である。底板２１には円形の貫通穴（第１の穴）２３が形成され、前記貫通穴２３の周囲には同一の開口面積の４つの長方形状の貫通穴（第２の穴）２４が形成されている。各貫通穴２４は、Ｘ１−Ｘ２方向と、Ｙ１−Ｙ２方向とで対を成して、前記貫通穴２３を囲むように配置されている。ただし、貫通穴２３，２４の形状は適宜変更することができ、また貫通穴２４の個数は４個に限らず、２個または５個以上であってもよい。
【００３０】
図１に示すように、底板２１には支持台２５が一体に形成されている。この支持台２５には傾斜面が形成されており、この支持台２５の傾斜面に反射板３０が固定される。前記傾斜面により、反射板３０の反射面は底板２１に対して４５度上方を向いた姿勢に位置決めされる。さらに底板２１には、支持台２５の近傍にＸ１−Ｘ２方向に幅広の開口部２６が穿設されている。
【００３１】
図１と図３に示すように、支持ベース２０の底板２１には、側板２２ａと接する部分にＸ１−Ｘ２方向に延びる挿通孔２８ａが形成され、側板２２ｂと接する部分にＹ１−Ｙ２方向に延びる挿通孔２８ｂが形成され、側板２２ｃと接する部分に挿通孔２８ｃが形成されている。
【００３２】
前記支持ベース２０上において、前記支持体１０はその姿勢を調整できるように取付けられている。以下その調整機構を説明する。
【００３３】
前記支持ベース２０には、基準設置面３１が形成され、この基準設置面３１に調整支点となる半球状のピボット３２が一体に突出形成されている。前記支持体１０に形成された取付片１１ｇは、前記ピボット３２上に設置され、取付片１１ｇの上面を押圧する板ばね２９が設けられて、この板ばね２９は、前記基準設置面３１に固定される。
【００３４】
図３に示すように、支持ベース２０の裏面から挿入された調整ねじ３４，３５は、支持ベース２０内に突出し、この調整ねじ３４，３５の外周に圧縮コイルスプリング３３，３６が装着される。そしてこの調整ねじ３４，３５の先端部は、前記支持体１０の前記取付片１１ｆ，１１ｈに形成された雌ねじ穴１１ｆ１，１１ｈ１に螺着される。前記調整ねじ３４，３５を締付けまたは弛めることで、前記支持体１０は前記ピボット３２を調整支点として傾き調整自在である。
【００３５】
図１に示すように、支持ベース２０にはガイド穴２０ａ，２０ｂが形成されている。ガイド穴２０ａ，２０ｂは、ＣＤ装置などの本体シャーシに固定されたガイド軸に摺動自在に挿通される。また図２、図３に示すように、支持ベース２０にはガイド体２０ｃが一体に形成されている。このガイド体２０ｃが、本体シャーシ側に設けられたスクリュー軸などの送り機構に係合する。
また支持ベース２０の側板２２ｄには発光・受光素子３７が固定される。
【００３６】
次に、この光ピックアップ装置の組立方法を説明する。
図１に示すように、支持体１０を支持ベース２０の上に設置する。このとき取付片１１ｇを支持ベース２０のピボット３２上に設置し、取付片１１ｇの上に板ばね２９を載せて、板ばね２９の基端を設置基準面３１上に固定する。また、前記調整ねじ３４，３５を支持ベース２０の裏面側から挿入し、圧縮スプリング３３，３６を装着した状態で、調整ねじ３４，３５の先端を雌ねじ穴１１ｆ１，１１ｈ１に螺着する。
【００３７】
組立が完了した状態で、支持ベース２０を調整用のディスク装置に設置し、対物レンズ１７を調整用のディスクＤに対向させて、支持体１０の姿勢を調整する。調整ねじ３４を締め付けまたは弛めることで、ピボット３２を調整支点として対物レンズ１７の光軸をＹ１またはＹ２方向へ倒す調整ができ、調整ねじ３５を締め付けまたは弛めることで光軸をＸ１またはＸ２方向へ倒す調整ができる。この調整により光軸のラジアル方向とタンゼンシャル方向への傾き調整ができる。この調整が完了した時点で、調整ねじ３４と３５をねじ接着剤で固定する。
【００３８】
前記支持体１０が前記支持ベース２０に組み付けられたときに、磁気駆動の補正駆動手段を形成しているヨーク１２とヨーク１２の中間部分の支持体１０が、支持ベース２０の貫通穴２３に対し隙間を有して対向する。また支持体１０の側片１１ａ，１１ｂ，１１ｃと支持ベース２０の側板２２ａ，２２ｂ，２２ｃとが隙間を開けて対向する。
【００３９】
前記調整が完了した後に、支持ベース２０の裏側から貫通穴２３を通して、支持体１０と支持ベース２０の底板２１との隙間にＵＶ（紫外線）硬化型の接着剤６を充填する。そして支持ベース２０の裏面側から貫通穴２３と貫通穴２４の部分にＵＶ（紫外線）を照射する。このときＵＶは貫通穴２３から接着剤６に照射され、接着剤６の中央部分が直ちに硬化させられる。また、その側方に開口する貫通穴２４から支持ベース２０の内部に照射され、金属製の支持体１０の表面に当たって乱反射する。乱反射したＵＶが接着剤６の周囲全周に回り込むようにして照射されるために、補正駆動手段の真下に位置する前記接着剤の周囲部分が、速やかに且つ確実に硬化する。
【００４０】
また、接着剤は支持台２５により堰き止められるので、この接着剤が反射板３０に付着することがなく、また前記ＵＶにより反射板３０の方向へ流れ出す以前に接着剤６が硬化させられるため、反射板３０に接着剤が付着する不良が生じにくい。
【００４１】
また、前記側片１１ａ，１１ｂ，１１ｃと側板２２ａ，２２ｂ，２２ｃとの間にもＵＶ硬化型の接着剤５が充填されて硬化される。この接着剤５は、支持ベース２０の裏面側から前記貫通孔２８ａ，２８ｂ，２８ｃを通して供給される。
【００４２】
上記のようにして製造された光ピックアップ装置１では、フォーカシングコイル１８とトラッキングコイル１９に与えられる補正電流と、マグネット１３の磁界による電磁力で、レンズホルダ１６にフォーカシング補正とトラッキング補正の駆動力が与えられる。
【００４３】
この磁気駆動力の反作用力は、マグネット１３およびヨーク１２を経て支持体１０に伝達され、支持体１０に振動が与えられようとする。しかし前記反作用力の発振源であるヨーク１２とヨーク１２との間の部分で、支持体１０と支持ベース２０との間の隙間が接着剤６により埋められているため、磁気駆動力の反作用力が前記接着剤６の拘束力により確実に抑制される。したがって、支持体１０全体に振動が発生しにくくなる。よって、支持体１０の振動がワイヤ１４を経てレンズホルダ１６に伝達され、振動ループが形成されるという従来の欠点を解消できる。
【００４４】
したがって、図１以下に示すように、対物レンズ１７の光軸とレンズホルダ１６の重心とが一致していない構造であっても、レンズホルダ１６に不要振動が発生しにくくなる。
【００４５】
また上記の光ピックアップ装置１において、支持体１０の底面の全体または一部をメッキ処理して光の反射効率を高めるようにしてもよい。
【００４６】
【発明の効果】
以上説明した本発明は、支持ベースに設置された支持体が補正駆動力により不要振動を発生するのを効果的に防止できる。
【００４７】
また、支持ベースと支持体との隙間に供給された接着剤を速やかに且つ確実に硬化させることができる。
【図面の簡単な説明】
【図１】本発明の光ピックアップ装置を示す分解斜視図、
【図２】光ピックアップ装置を示す断面図、
【図３】光ピックアップ装置を示す裏面図、
【図４】従来の光ピックアップ装置を示す分解斜視図、
【符号の説明】
１  光ピックアップ装置
１０  支持体
１１ａ，１１ｂ，１１ｃ，１１ｄ，１１ｅ  側片
１１ｆ，１１ｇ，１１ｈ  取付片
１１ｆ１，１１ｈ１  雌ねじ穴
１２  ヨーク
１３  マグネット
１４  金属ワイヤ
１５  ヘッドベース
１６  レンズホルダ
１７  対物レンズ
１８  フォーカシングコイル
１９  トラッキングコイル
２０  支持ベース
２２ａ，２２ｂ，２２ｃ  側板
２３  貫通穴（第１の穴）
２４  貫通穴（第２の穴）
２５  支持台
２８ａ，２８ｂ，２８ｃ  挿通孔
２９  板ばね
３２  調整支点となるピボット
３３，３６  圧縮コイルスプリング
３４，３５  調整ねじ
【図１】
0003894712.tif 000002
【図２】
0003894712.tif 000003
【図３】
0003894712.tif 000004
【図４】
0003894712.tif 000005